(57)【要約】      （修正有）【課題】電子機器の筐体の大型化を抑制しつつ、送風機とカードホルダとを共存させる。【解決手段】カードホルダ５４が、送風機取付部材２４にホルダ部材４６を取り付けた構造とされており、送風機取付部材の一部がカードホルダを兼ねている。カードホルダを送風機取付部材とは別体とし、単に送風機取付部材に重ねた構造と比較して、送風機取付部材の一部がカードホルダとして兼用されているので、厚みが薄くなる。すなわち、カードホルダを薄型にすることで、筐体の厚みも薄くすることができ、大型化が抑制されている。しかも、カードホルダとディスプレイを合わせた厚みを薄くすることが可能である。これにより、筐体の厚みを薄くすることも可能になる。【選択図】図３
2014071748.tif 000002
【特許請求の範囲】
【請求項１】
筐体と、
前記筐体内に配置される送風機と、
前記筐体内に前記送風機を取り付けるための送風機取付部材と、
前記送風機取付部材の一部を用いて前記送風機取付部材と厚み方向に重ねて配置され、カードを保持するカードホルダと、
を有する電子機器。
【請求項２】
前記カードが前記送風機と厚み方向で部分的に重なるように前記カードホルダが前記カードを保持する請求項１に記載の電子機器。
【請求項３】
前記送風機が、回転翼の回転軸を法線とする側板に形成された吸気口から吸気し回転翼の遠心方向に送風する遠心送風機である請求項１又は請求項２に記載の電子機器。
【請求項４】
前記遠心送風機の前記吸気口が複数形成され、
複数の前記吸気口の少なくとも一部が前記カードの厚み方向で前記カードと重ならないように前記カードホルダが前記カードを保持する請求項３に記載の電子機器。
【請求項５】
前記送風機からの送風によって冷却される放熱部材と、
前記送風機取付部材に設けられ、前記送風機からの送風を前記放熱部材の長手方向に分散させるダクト部と、
を有する請求項３又は請求項４に記載の電子機器。
【請求項６】
前記送風機取付部材に設けられ、前記カードホルダに保持された前記カードが前記送風機と非接触になるように前記カードを支持するカード支持部材を有する請求項１〜請求項５のいずれか１項に記載の電子機器。
【請求項７】
前記筐体内に配置されるバッテリを備え、
前記カードの厚み方向で前記カードが前記バッテリと重ならない配置とされる請求項１〜請求項６のいずれか１項に記載の電子機器。
【請求項８】
ディスプレイを備え、
前記ディスプレイのベゼルが前記カードホルダと非接触となるように前記カードホルダに形成された溝部を有する請求項１〜請求項７のいずれか１項に記載の電子機器。
【発明の詳細な説明】
【技術分野】
【０００１】
本願の開示する技術は、電子機器に関する。
【背景技術】
【０００２】
コンピュータ等の電子機器では、筐体内に、送風機が備えられることがある。送風機は、取付部材を用いて筐体に取り付けられることがある。
【先行技術文献】
【特許文献】
【０００３】
【特許文献１】特開２０００−２１６５７５号公報
【発明の概要】
【発明が解決しようとする課題】
【０００４】
このような電子機器において、カードを保持するためのカードホルダを設ける場合、たとえば、送風機取付部材とカードホルダとを単純に重ねて配置すると、電子機器の筐体の厚みを増す必要がある。また、送風機取付部材とカードホルダとを筐体の横方向あるいは縦方向に並べて配置すると、電子機器の筐体が横方向あるいは縦方向に大きくなる。
【０００５】
本願の開示技術は、電子機器の筐体の大型化を抑制しつつ、送風機とカードホルダとを共存させることが目的である。
【課題を解決するための手段】
【０００６】
本願の開示する技術では、カードホルダを送風機取付部材の一部と重ねているため、重ねない構造と比較して、筐体の横方向あるいは縦方向への大型化を抑制できる。カードホルダは、筐体の厚み方向で風機取付部材の一部を用いて配置されているため、送風機取付部材と別体のカードホルダを備えた構造と比較して、カードホルダと送風機取付部材を合わせた厚みを薄くできる。
【発明の効果】
【０００７】
本願の開示する技術によれば、電子機器の筐体の大型化を抑制しつつ、送風機とカードホルダとを共存させることが可能である。
【図面の簡単な説明】
【０００８】
【図１】第１実施形態の携帯型コンピュータを示す斜視図である。
【図２】第１実施形態の携帯型コンピュータの内部構造の一部を示す分解斜視図である。
【図３】第１実施形態の携帯型コンピュータの内部構造を部分的に拡大して示す斜視図である。
【図４】第１実施形態の携帯型コンピュータを示す図１の４−４線断面図である。
【図５】第１実施形態の携帯型コンピュータのカードホルダを示す斜視図である。
【図６】第１実施形態の携帯型コンピュータのカードホルダを示す斜視図である。
【図７】第１実施形態の携帯型コンピュータの送風機取付部材を示す斜視図である。
【図８】第１実施形態の携帯型コンピュータの内部構造を部分的に拡大して示す図３の８−８線断面図である。
【図９】第１実施形態の携帯型コンピュータの内部構造を部分的に拡大して示す図１の９−９線断面図である。
【発明を実施するための形態】
【０００９】
第１実施形態について、図面に基づいて詳細に説明する。
【００１０】
図１示すように、第１実施形態では、電子機器の一例として、携帯型コンピュータ１２を挙げている。
【００１１】
本実施形態の携帯型コンピュータ１２は、筐体１４を有している。筐体１４は一例として、扁平な箱状に形成されている。そして、筐体１４を平面視（矢印Ａ方向視）すると、奥辺１４Ａ、手前辺１４Ｂ、右辺１４Ｃ及び左辺１４Ｄを有する略長方形状に形成されている。
【００１２】
以下では、図面において、携帯型コンピュータ１２（筐体１４）の幅方向を矢印Ｗで、奥行方向を矢印Ｄで、厚み方向を矢印Ｔで示す。この厚み方向は、後述する送風機２６、送風機取付部材２４や、カード５６（カードホルダ５４に収容された状態）の厚み方向と一致する。ただし、これらの方向は、以下の説明において便宜的に用いるものであり、携帯型コンピュータ１２の使用状況に応じて適宜変更される。たとえば、矢印Ｄ方向が使用時には幅方向となるように、携帯型コンピュータ１２を縦型として使用してもよい。
【００１３】
本実施形態の筐体１４は、厚み方向（矢印Ｔ方向）で分割されたアッパー部材１４Ｕとロアー部材１４Ｌとを有する構造である。アッパー部材１４Ｕとロアー部材１４Ｌとは、重ね合わされた状態で、係合部材により互いに係合される（あるいはネジ等の締結部材で締結される）。なお、図２では、アッパー部材１４Ｕの図示を省略している。
【００１４】
筐体１４内には、アッパー部材１４Ｕに近い位置に、ディスプレイ１８が備えられている。ディスプレイ１８の表示内容は、アッパー部材１４Ｕのディスプレイ開口部１４Ｈを通じて視認することが可能である。さらに、操作者が直接的に、あるいはペン等を用いて間接的にディスプレイ１８に触れることで、各種の入力が可能とされていてもよい。アッパー部材１４Ｕには、ディスプレイ１８及びその周辺のアッパー部材１４Ｕを覆う光透過性のカバー部材３１が取り付けられている。
【００１５】
図２に示すように、ロアー部材１４Ｌには、バッテリ収容孔２０が形成されている。バッテリ収容孔２０には、ロアー部材１４Ｌよりも厚みのあるバッテリ２２が収容されている。バッテリ２２は、このようにロアー部材１４Ｌよりも厚いが、筐体１４の外側（ロアー部材１４Ｌよりも下側）へは突出しておらず、筐体１４の内側（図２ではロアー部材１４Ｌよりも上側）に突出している。
【００１６】
筐体１４内には、送風機取付部材２４が備えられており、さらに、この送風機取付部材２４により、筐体１４内に送風機２６（図３参照）が取り付けられている。
【００１７】
本実施形態では、送風機２６は、筐体１４の奥辺１４Ａと左辺１４Ｄの間の角部１４Ｅの近傍に配置されている。送風機２６は、送風機取付部材２４によって所定の位置に保持され、筐体１４内のロアー部材１４Ｌ、基板１６（図４参照）あるいは取り付け用の部材に、ネジ止め等により固定されている。この基板１６は、いわゆるマザーボードであってもよいし、マザーボード以外の基板でもよい。
【００１８】
送風機２６としては、後述するように、放熱部材２８に送風することで放熱部材２８を冷却可能であれば特に限定されないが、本実施形態では、遠心送風機を用いている。送風機２６は、偏平な直方体状の送風機ハウジング３２内において、回転軸３４周りに回転する複数の回転翼３６（図３参照）を有している。回転翼３６の両側は、回転軸３４を法線とする側板３８（送風機ハウジング３２の一部）となっている。側板３８には、複数（図示の例では３つ）の吸気口４０が形成されている。回転翼３６の回転により、吸気口４０から空気が取り込まれ、遠心方向の成分を含む矢印Ｒ１方向に空気が送り出される。
【００１９】
送風機取付部材２４は、平面視（矢印Ａ方向視）にて送風機２６を取り囲む略長方形の枠部４２と、この枠部４２から、筐体１４の幅方向内側に延出された略板状の延出板部４４と、を有している。
【００２０】
枠部４２と、筐体１４の左辺１４Ｄの間には、放熱部材２８が配置されている。放熱部材２８は、筐体１４の奥行方向（矢印Ｄ方向）に一定間隔で並ぶ複数の放熱フィンを有している。本実施形態では、放熱部材２８の長手方向は、筐体１４の奥行方向と一致している。放熱フィンには、携帯型コンピュータ１２の各種の発熱部材（たとえば、半導体チップ等の電子部品）からの熱が伝わるようになっている。
【００２１】
枠部４２において、放熱部材２８と対向する部分には、枠部４２の内側（送風機２６側）から外側へ枠部４２を貫通するダクト部４２Ｄが形成されている。ダクト部４２Ｄは、放熱部材２８の長さＬ１と同程度の開口幅Ｗ１（図７参照）を有している。送風機２６の送風口２６Ｈからの送風は、ダクト部４２Ｄに入ると、ダクト部４２Ｄ内でダクト部４２Ｄの幅方向（本実施形態では矢印Ｄと同方向）に広げられる。すなわち、送風口２６Ｈが放熱部材２８の長さＬ１より幅狭であっても、送風機２６からの送風が、ダクト部４２Ｄによって、放熱部材２８の長手方向に分散される。これにより、放熱フィンの並び方向で放熱フィンのそれぞれに作用する風量の均一化が図られる（ただし、厳密に均一化されている必要はない）。
【００２２】
送風機取付部材２４には、筐体１４のアッパー部材１４Ｕとの間に位置するように、ホルダ部材４６が取り付けられている。図３及び図５にも示すように、ホルダ部材４６は、略長方形状のホルダ本体部４８と、このホルダ本体部４８の所定位置から送風機取付部材２４に向かって延出された取付脚部５０とを有している。取付脚部５０を送風機取付部材２４の係合部材に係合させることで、ホルダ部材４６が送風機取付部材２４に取り付けられる。
【００２３】
ホルダ部材４６が送風機取付部材２４へ取り付けられた状態では、図３及び図５から分かるように、ホルダ部材４６のホルダ本体部４８は、送風機取付部材２４と厚み方向に（矢印Ａ方向視で）重なっている。ホルダ部材４６のホルダ本体部４８と送風機取付部材２４とは平行であり、これらの間が、カード収容部５２（図９参照）になっている。すなわち、本実施形態では、カードホルダ５４は、送風機取付部材２４の一部とホルダ部材４６とを用いて、送風機取付部材２４と厚み方向に重ねて配置されている。換言すれば、送風機取付部材２４の一部が、カードホルダ５４を兼ねている構造である。
【００２４】
図３に示すように、カード収容部５２は、筐体１４の奥辺１４Ａ側には開放されており、カード５６を開放部分から矢印Ｓ１方向に挿入することが可能である。なお、カード５６の全部がカード収容部５２に収容される必要はない。図３では、カード５６の一部が収容される構造としている。カード５６は、携帯型コンピュータ１２（電子機器）に対し挿入される部材であり、携帯型コンピュータ１２（電子機器）の必須の要素として含める必要はない。
【００２５】
本実施形態では、カード収容部５２に収容されたカード５６の一部が、平面視（矢印Ａ方向視）で送風機２６の一部と重なるように、カードホルダ５４の位置が決められている。ただし、このようにカード５６が送風機２６と重なっても、平面視ですべての吸気口４０とは重ならないか、若しくは１つの吸気口４０の一部分のみと重なるようになっている。図示の例では、３つの吸気口４０のうち、右奥側にある吸気口４０の右側の一部のみにおいて、カード５６が平面視で重なっている。
【００２６】
さらに、本実施形態では、カード収容部５２に収容されたカード５６が平面視（矢印Ａ方向視）でバッテリ２２とは重ならないように、カードホルダ５４の位置が決められている。そして、図４から分かるように、カード５６がバッテリ２２の厚みＴ１の範囲内に位置するように、カード収容部５２に収容されている。
【００２７】
図７及び図８にも示すように、送風機取付部材２４には、カード収容部５２に収容されたカード５６と対向する１又は複数（図示の例では４本）の突条５８が形成されている。突条５８は、カード収容部５２に収容されたカード５６が送風機２６に接触しないように、カード５６を下側から支持する。また、延出板部４４を補強するリブとしても作用している。本実施形態では、突条５８はカード収容部５２へのカード５６の挿入方向（矢印Ｓ１方向）に沿って形成されており、カード５６の先端が挿入時に不用意に突き当たらないようになっている。
【００２８】
送風機取付部材２４には、カード収容部５２に収容されたカード５６の側辺５６Ｅと対向する一対の案内壁６０が形成されている。案内壁６０の対向面の間隔Ｄ２は、カード５６の幅Ｗ２（図３参照）よりもわずかに長くされている。案内壁６０は、カード収容部５２に挿入されるカード５６の幅方向への移動を抑制し、スムーズに挿入できるように案内する。
【００２９】
図５及び図６に示すように、送風機取付部材２４の延出板部４４には、ホルダ部材４６と反対側の面（図５では延出板部４４の下側の面）に、カード入出力基板６２が取り付けられている。
【００３０】
カード入出力基板６２は、端子部材の一例であり、カード入出力基板６２のカード収容部５２側の面には、端子６４が設けられている。端子６４の一部は、送風機取付部材２４に形成された貫通孔６６（図２及び図７参照）からカード収容部５２内に突出しており、カード収容部５２に収容されたカード５６の接点部に接触する。これにより、カード５６とカード入出力基板６２とで電気信号の送受信が可能となる。
【００３１】
図２及び図５に示すように、ホルダ部材４６のホルダ本体部４８には、平面視にて端子６４に対応する位置に、接触回避孔６８が形成されている。接触回避孔６８は、カード収容部５２にカード５６が収容されていない状態で、端子６４が不用意にホルダ部材４６に接触しないように端子６４を回避している。
【００３２】
送風機取付部材２４には、カード入出力基板６２よりも下側（カード入出力基板６２を挟む位置）に、通信モジュール部材７０が取り付けられている。さらに、通信モジュール部材７０よりも奥辺１４Ａ側には、アンテナ７２が配置されている。携帯型コンピュータ１２は、外部機器等との間で電波の送受信を、通信モジュール部材７０を介して、アンテナ７２により行うことができる。
【００３３】
そして、送風機取付部材２４に、カード入出力基板６２と通信モジュール部材７０とがネジ止め等により取り付けられて一体化されている。
【００３４】
ホルダ部材４６には、幅方向（矢印Ｗ方向）の一端側から他端側まで連続する溝部７４が形成されている。図９に示すように、溝部７４には、ディスプレイ１８のベゼル７６がホルダ本体部４８よりもカード収容部５２側には出っ張らないように、厚み方向に収容される。
【００３５】
次に、本実施形態の携帯型コンピュータ１２の作用について説明する。
【００３６】
この携帯型コンピュータ１２では、図３に示すように、送風機２６が、送風機取付部材２４によって所定位置で保持されると共に、筐体１４（ロアー部材１４Ｌ）に取り付けられている。たとえば、先に送風機取付部材２４を筐体１４に固定しておき、送風機取付部材２４の枠部４２に送風機２６を配置すれば、送風機２６の筐体１４に対する位置合わせが容易である。
【００３７】
そして、カードホルダ５４が、送風機取付部材２４と厚み方向に重ねて配置されている。これにより、たとえば、カードホルダと送風機取付部材とを厚み方向に重ねずに単に幅方向（矢印Ｗ方向）あるいは奥行方向（矢印Ｄ方向）に並べた構造と比較して、幅方向あるいは奥行方向での配置面積が小さくなっている。すなわち、本実施形態では、簡易な構造で、筐体１４の幅方向及び奥行方向における大型化を抑制しつつ、送風機２６とカードホルダ５４と筐体１４内に共存させることが可能である。
【００３８】
特に本実施形態では、カード収容部５２に収容されたカード５６の一部が、平面視（矢印Ａ方向視）で送風機２６とも部分的に重なっている。したがって、カード５６が送風機２６と重ならない構造と比較して、筐体１４の幅方向及び奥行方向における大型化をさらに抑制できる。
【００３９】
また、本実施形態の携帯型コンピュータ１２では、カードホルダ５４が、送風機取付部材２４にホルダ部材４６を取り付けた構造とされており、送風機取付部材２４の一部がカードホルダ５４を兼ねている。カードホルダ５４を送風機取付部材２４とは別体とし、単に送風機取付部材２４に重ねた構造と比較して、送風機取付部材２４の一部がカードホルダ５４として兼用されているので、厚みが薄くなる。すなわち、本実施形態では、カードホルダ５４を薄型にすることで、筐体１４の厚みも薄くすることができ、大型化が抑制されている。
【００４０】
しかも、ディスプレイ１８のベゼル７６は、ホルダ部材４６（カードホルダ５４）の溝部７４に、ディスプレイ１８のベゼル７６が厚み方向で収容されている。したがって、ホルダ部材４６に溝部７４が形成されていない構造と比較して、カードホルダ５４をディスプレイ１８を合わせた厚みを薄くすることが可能である・これにより、筐体１４の厚みを薄くすることも可能になる。
【００４１】
さらに本実施形態では、カードホルダ５４に収容されたカード５６は、平面視（矢印Ａ方向視）でバッテリ２２とは重なっておらず、カード５６がバッテリ２２の厚みＴ１の範囲内に位置している。所定の厚みを有するバッテリ２２にさらにカード５６が重なる構造ではないので、筐体１４の厚みを抑えることが可能である。
【００４２】
なお、上記したように、カード収容部５２に収容されたカード５６の一部は、送風機２６の一部と重なっているが、吸気口４０との関係では、複数の吸気口４０の１つに対し、部分的にのみ重なっている。したがって、カード５６が複数の吸気口４０と重なった構造や、１つの吸気口４０と完全に重なった構造と比較して、吸気口４０からの吸気に与える影響は少ない。
【００４３】
特に、本実施形態では、図８からも分かるように、カード５６は送風機２６と非接触となるように、突条５８によって支持されている。カード５６が平面視で部分的に重なる吸気口４０においても、重なっている部分でカード５６との間に隙間が生じている（カード５６が吸気口４０を完全に閉塞することはない）ので、この吸気口４０からの吸気に与える影響は少ない。
【００４４】
カード支持部材としては、上記した突条５８に限定されない。たとえば、送風機取付部材２４において、ホルダ部材４６と対向する面に、カード５６を支持する複数の突起を点在させた構造でもよい。上記実施形態に係る突条５８は、カード５６の挿入方向に沿って形成されているので、カード５６の挿入時にカード５６の先端が不用意に付き当たることがなく、カード５６をカード収容部５２にスムーズに挿入できる。
【００４５】
カード収容部５２にカード５６を挿入するときは、図８から分かるように、送風機取付部材２４の案内壁６０が、カード５６の側辺５６Ｅと対向する。カード５６は、挿入時に幅方向にずれたり傾いたりしても、側辺５６Ｅに接触することで、このずれや傾きが抑制される。これにより、カード５６をカード収容部５２にスムーズに挿入できる。
【００４６】
案内壁として、上記では、送風機取付部材２４に形成した案内壁６０を挙げているが、案内壁６０は、たとえば、ホルダ部材４６に形成されていてもよいし、送風機取付部材２４とホルダ部材４６の双方に形成されていてもよい。さらに、案内壁としては、送風機取付部材２４とは別部材であってもよいが、送風機取付部材２４に形成すると、部品点数の増加を抑制できる。
【００４７】
カード入出力基板６２の端子６４は、カード収容部５２にカード５６が収容されていない状態では、カード収容部５２内に突出している。このため、カード収容部５２にカード５６が収容されると、カード５６の接点部との接触性を良好に維持できる。
【００４８】
また、カード収容部５２にカード５６が収容されていない状態では、カード入出力基板６２の端子６４がカード収容部５２内に突出していても、接触回避孔６８によりホルダ部材４６への接触を回避できる。たとえば、端子６４どうしがホルダ部材４６を介して不用意に短絡されることを抑制できる。
【００４９】
カード入出力基板６２及び通信モジュール部材７０は、送風機取付部材２４に取り付けられて一体化されており、送風機取付部材２４を筐体１４に取り付ければ、カード入出力基板６２や通信モジュール部材７０も筐体１４に同時に取り付けられる。これにより、カード入出力基板６２や通信モジュール部材７０が、送風機取付部材２４と別体になった構造と比較して、筐体１４への取付工程を簡略化できる。また、送風機取付部材２４を筐体１４から取り外すことで、カード入出力基板６２及び通信モジュール部材７０も同時に筐体１４から取り外せるので、保守や点検の作業性が向上している。
【００５０】
端子６４は、カード入出力基板６２とは別体で、送風機取付部材２４等に取り付けられた構造でもよい。本実施形態では、端子６４はカード入出力基板６２に備えられているので、カード入出力基板６２を送風機取付部材２４に取り付けて一体化すれば、カード収容部５２に対する端子６４の位置ズレを抑制できる。
【００５１】
送風機２６として、上記では遠心送風機を用いているが、要するに、冷却対象に対し送風することで冷却対象を冷却できれば、具体的構造は限定されない。ただし、遠心送風機を用いると、送風方向が回転翼３６の回転の遠心方向となるので、冷却対象物も、この遠心方向において送風の下流側に配置できる。すなわち、送風機２６と冷却対象物（放熱部材２８）との組み合わせを考えたときに、厚みを薄くできる。
【００５２】
送風機取付部材２４の枠部４２には、ダクト部４２Ｄが形成されている。送風機２６からの送風が、このダクト部４２Ｄにより放熱部材２８の放熱フィンの並び方向に分散されるので、放熱フィンへの風量の均一化を図ることが可能である。そして、ダクト部４２Ｄは送風機取付部材２４に形成されているので、別体のダクトを有する構造と比較して、部品点数の増加が抑制される。
【００５３】
電子機器としては、上記した携帯型コンピュータに限定されず、たとえば、デスクトップ型のコンピュータや、ディスプレイ一体型のコンピュータ、携帯電話や電子辞書、携帯型音響・映像機器等を挙げることができる。
【００５４】
カードの構造や用途は特に限定されない。たとえば、電子回路が埋め込まれ本人認証等に用いされるカードや、磁気記録、バーコード等の記録を読取可能なカード、外部機器との通信等、特定の機能を電子機器に付加するためのカード等を挙げることができる。
【００５５】
以上、本願の開示する技術の実施形態について説明したが、本願の開示する技術は、上記に限定されるものでなく、上記以外にも、その主旨を逸脱しない範囲内において種々変形して実施可能であることは勿論である。
【００５６】
本明細書は、以上の実施形態に関し、さらに以下の付記を開示する。
（付記１）
筐体と、
前記筐体内に配置される送風機と、
前記筐体内に前記送風機を取り付けるための送風機取付部材と、
前記送風機取付部材の一部を用いて前記送風機取付部材と厚み方向に重ねて配置され、カードを保持するカードホルダと、
を有する電子機器。
（付記２）
前記カードが前記送風機と厚み方向で部分的に重なるように前記カードホルダが前記カードを保持する付記１に記載の電子機器。
（付記３）
前記送風機が、回転翼の回転軸を法線とする側板に形成された吸気口から吸気し回転翼の遠心方向に送風する遠心送風機である付記１又は付記２に記載の電子機器。
（付記４）
前記遠心送風機の前記吸気口が複数形成され、
複数の前記吸気口の少なくとも一部が前記カードの厚み方向で前記カードと重ならないように前記カードホルダが前記カードを保持する付記３に記載の電子機器。
（付記５）
前記送風機からの送風によって冷却される放熱部材と、
前記送風機取付部材に設けられ、前記送風機からの送風を前記放熱部材の長手方向に分散させるダクト部と、
を有する付記３又は付記４に記載の電子機器。
（付記６）
前記送風機取付部材に設けられ、前記カードホルダに保持された前記カードが前記送風機と非接触になるように前記カードを支持するカード支持部材を有する付記１〜付記５のいずれか１つに記載の電子機器。
（付記７）
前記カード支持部材が、前記カードホルダへの前記カードの挿入方向に沿って前記送風機取付部材に形成された突条である付記６に記載の電子機器。
（付記８）
前記送風機取付部材及び前記カードホルダの少なくとも一方に設けられ前記カードホルダに挿入される前記カードの側辺と対向して前記カードの挿入を案内する案内壁を有する付記１〜付記７のいずれか１つに記載の電子機器。
（付記９）
前記カードホルダに保持された前記カードに接触する端子を備え、前記送風機取付部材に取り付けられる端子部材を有する付記１〜付記８のいずれか１つに記載の電子機器。
（付記１０）
前記カードホルダに形成され前記カードが前記カードホルダに保持されない状態で前記端子の前記カードホルダへの接触を回避する接触回避孔を有する付記９に記載の電子機器。
（付記１１）
前記筐体内に配置されるバッテリを備え、
前記カードの厚み方向で前記カードが前記バッテリと重ならない配置とされる付記１〜付記１０のいずれか１つに記載の電子機器。
（付記１２）
ディスプレイを備え、
前記ディスプレイのベゼルが厚み方向に収容されるように前記カードホルダに形成された溝部を有する付記１〜付記１１のいずれか１つに記載の電子機器。
【符号の説明】
【００５７】
１２  携帯型コンピュータ
１４  筐体
１６  基板
１８  ディスプレイ
２２  バッテリ
２４  送風機取付部材
２６  送風機
２６Ｈ      送風口
２８  放熱部材
３４  回転軸
３６  回転翼
３８  側板
４０  吸気口
４２  枠部
４２Ｄ      ダクト部
４４  延出板部
４６  ホルダ部材
４８  ホルダ本体部
５０  脚部
５２  カード収容部
５４  カードホルダ
５６  カード
５６Ｅ      カードの側辺
５８  突条（カード支持部材の例）
６０  案内壁
６２  カード入出力基板
６４  端子
６８  接触回避孔
７０  通信モジュール部材
７２  アンテナ
７４  溝部
７６  ベゼル
【図１】
2014071748.tif 000003
【図２】
2014071748.tif 000004
【図３】
2014071748.tif 000005
【図４】
2014071748.tif 000006
【図５】
2014071748.tif 000007
【図６】
2014071748.tif 000008
【図７】
2014071748.tif 000009
【図８】
2014071748.tif 000010
【図９】
2014071748.tif 000011